(57)【要約】      （修正有）【課題】長時間履物を履き続けても、足が、履物にフィットしてより歩き易く、靴擦れ等の発症を防止する履物の中底を提供する・【解決手段】履物のかかと部７内側側面部に左右一対で、履物と足の間に生ずる空間を埋めるべく、足の踵骨の側面中央部で、かつ、アキレス腱よりの位置を被支持面部とし、当該被支持面部を支持する位置に、側面支持突起部２が形成され、かつ、前記側面支持突起部２は、表面素材部及び吸収材部で形成され、該表面素材部及び吸収材部を裏革の裏面において裏当て部材で固定する。【選択図】図１
0003157212.tif 000002
【実用新案登録請求の範囲】
【請求項１】
足の踵骨の側面中央部で、かつ、アキレス腱よりの位置を被支持面部とし、該被支持面部と履物との間に生ずる空間を埋める履物用のフィッティングパッドであって、履物用のかかと部の内側側面部に設けられ、左右一対で該被支持面部を支持する側面支持突起部が形成されたことを特徴とする履物用のフィッティングパッド。
【請求項２】
前記側面支持突起部は、前記履物用のかかと部の内側側面部に配設された裏革の裏面より、該裏革に形成された孔開き部を通して前記被支持面部方向に突出するように形成されたことを特徴とする請求項１記載の履物用のフィッティングパッド。
【請求項３】
前記側面支持突起部は、表面素材部及び吸収材部で形成され、該表面素材部及び吸収材部を裏革の裏面において裏当て部材で固定したことを特徴とする請求項１記載の履物用のフィッティングパッド。
【請求項４】
前記側面支持突起部は、履物用の裏革の表面に接着し又は着脱自在に装着したことを特徴とする請求項１記載の履物用のフィッティングパッド。
【請求項５】
足の踵骨の側面中央部で、かつ、アキレス腱よりの位置を被支持面部とし、該被支持面部と履物との間に生ずる空間を埋める履物用のフィッティングパッドであって、履物用のかかと部の内側側面部に、左右一対で該被支持面部を支持する側面支持突起部が形成され、該側面支持突起部は、表面素材部及び吸収材部で形成され、かつ、履物用の裏革の裏面より、該裏革に形成された孔開き部を通して前記被支持面部方向に突出するように形成され、該表面素材部及び吸収材部を裏革の裏面において裏当て部材で固定したことを特徴とする履物用のフィッティングパッド。
【考案の詳細な説明】
【技術分野】
【０００１】
本考案は、履物用のフィッティングパッドに係り、履物と足の間に生ずる空間を埋めるべく、履物のかかと部分の内側側面部に左右一対で、かかと足関節部分を支持する位置にフィッティングパッド部を形成した履物のフィッティングパッドに関する。
【背景技術】
【０００２】
従来の履物用のフィッティングパッドは、靴を履いた時の、靴と足との安定を良くすべく、従来から多くのものが提案されている。
【０００３】
特許文献１に記載の履物用のフィッティングパッドは、カウンター部自体が、フィッティングパッドとして形成され、カウンター部をフィッティングパッド等のクッション材等の重ね合わせより形成されるもので、このカウンター部を甲皮や中鉢とを、一体的に金型の間に挟みこむ状態で履物用のフィッティングパッドを形成したものが考案されている。
【０００４】
また、特許文献２に記載の履物用のフィッティングパッドは、フィッティングパッドを独自にかかと部にショック吸収目的で積層するように形成したものが考案されている。
【先行技術文献】
【特許文献】
【０００５】
【特許文献１】実用新案登録第３００２８５５号公報
【特許文献２】実用新案登録第３１０５１９７号公報
【考案の概要】
【考案が解決しようとする課題】
【０００６】
特許文献１においては、カウンター部自体が、フィッティングパッドとして形成されているものが考案されているが、構造の複雑さという難点があり、そのため、加熱成形を行わなければならない。よって、製造コストが嵩むという欠点があった。
【０００７】
ところで、人間が歩行を行う時は、足の母子球部及び足のかかと、特に足のかかとの関節部分が交互に移動され、地面に着地することで移動を可能にするとされている。歩行の際には、足のかかとの関節部の伸縮運動を繰り返し、移動を行っているのである。そのため、特に長時間の歩行の際には、足のかかと部分が履物にフィットしない場合、足と履物内の接着面との間で摩擦が起きる等して靴擦れ等を発症させるおそれがある。この症状は、特に長時間の歩行をする者に生じやすく、また常に悩ませる問題である。
【０００８】
そして、履物を履いた際には、履物及び足との間には、空間が生まれる。この空間が、足の履物に対するフィット感を妨げるだけでなく、人間の歩行時に、足と履物との摩擦を生じさせる最大の要因といわれている。
【０００９】
すると、特許文献１の構成は、空間のことは考慮せず、かかとの突出した部分を支持するものが形成されており、これでは足の履物に対するフィット感を生じさせるためには不完全であり、足と履物との間で摩擦を生じさせ、靴擦れ等の発症を生じさせる虞を否定できない。
【００１０】
特許文献２においては、フィッティングパッドを独自にかかとの位置に積層するよう形成したものが考案されている。しかし、かかとの位置にフィッティングパッドを積層しただけでは、足との安定化も不十分で、足をしっかり包み込むことができず、長時間の歩行により、履物の中で足がずれて、靴擦れ等の怪我を発症させることにつながる。
【００１１】
また、持続的に履物を履いている場合、足の痛みや故障に繋がる人も出てくる可能性がある。
【００１２】
そして、特許文献２においても、履物とかかと足関節の間の空間については、考慮されておらず、足の履物に対するフィット感を妨げるだけでなく、人間の歩行時に、足と履物との摩擦を生じさせる最大の要因を解消できない。
【００１３】
そこで、本考案は、上述の課題を解決すべく創出されたもので、履物とかかと足関節との間生まれる空間を考慮し、長時間履物を履き続けても、足が、履物にフィットしてより歩き易く、靴擦れ等の発症に防止するように形成したことを特徴とする履物の中底の提供を目的としたものである。
【課題を解決するための手段】
【００１４】
足の踵骨の側面中央部で、かつ、アキレス腱よりの位置を被支持面部とし、該被支持面部と履物との間に生ずる空間を埋める履物用のフィッティングパッドであって、履物用のかかと部の内側側面部に設けられ、左右一対で該被支持面部を支持する側面支持突起部を形成したことにある。
【００１５】
また、側面支持突起部は、履物用の裏革８の裏面より、該裏革８に形成された孔開き部８Ａを通して前記被支持面部方向に突出するように形成したことにある。
【００１６】
そして、側面支持突起部は、表面素材部６及び吸収材部５で形成され、該表面素材部６及び吸収材部５を裏革８の裏面において裏当て部材４で固定したことにある。
【００１７】
また、側面支持突起部は、履物用の裏革８の表面に接着又は着脱自在にしたことにある。
【００１８】
そして、足の踵骨の側面中央部で、かつ、アキレス腱よりの位置を被支持面部Ｐとし、該被支持面部Ｐと履物との間に生ずる空間を埋める履物用のフィッティングパッドであって、履物用のかかと部８の内側側面部に、左右一対で該被支持面部Ｐを支持する側面支持突起部２が形成され、該側面支持突起部２は、表面素材部６及び吸収材部５で形成され、かつ、履物用の裏革８の裏面より、該裏革８に形成された孔開き部８Ａを通して前記被支持面部Ｐ方向に突出するように形成され、該表面素材部６及び吸収材部５を裏革８の裏面において裏当て部材４で固定したことにある。
【考案の効果】
【００１９】
請求項１の構成により、履物用のフィッティングパッドにおいて、履物と足の間に生ずる空間を埋めるために、踵骨の側面中央部で、かつ、アキレス腱より被支持面部に、側面支持突起部を形成したことにより、履物を履いた際に、履物と足との間に生じる空間をなくし、より足を履物にフィットさせ、歩きやすく履き心地のよいものを形成することに成功した。
【００２０】
また、本考案は、履物のかかと部内側側面部に備えるものであるので構造も比較的簡易で、製造工程も製造コストの観点からも従来の技術より低減した優れたものを形成することに成功した。
【００２１】
そして、履物と足の間に生ずる空間を埋めるべく、かかと側面支持突起部が、丁度、踵骨の側面中央部で、かつ、アキレス腱よりの部分を支持する態様で、左右一対に形成されていることから、かかと足関節部が、履物と足との間に生じる空間をなくし、足を履物にフィットさせ、歩行者の足のかかとを優しく支え、足の履物に対するホールド感を促進させることを実現した。
【００２２】
また、かかと側面支持突起部を、前記部分に左右一対に形成したことで、左右の二点方向からの支持により、より履物を履いたときに足のフィット感を創造することに成功した。つまり、履物を履いた時に足と履物の間に生ずる空間はなくなり、履物内での足の遊びがなくなり、負担が分散されるのである。
【００２３】
そして、当該構成によれば、側面支持突起部が、足と履物に生ずる空間を埋めるべく、丁度、踵骨の側面中央部で、かつ、アキレス腱よりの部分を支持する位置に形成されていることから、側面支持突起部により、履物を履く際に、足と履物に生ずる空間がなくなり、靴擦れ等の足の症例を防止することに成功した。
【００２４】
請求項２の構成により、孔開き部８Ａを有する履物用の裏革８の裏面より、該孔開き部８Ａから被支持面部Ｐ方向に突出するように形成され、例えば、足を当該部分に引っ掛けてしまったとしても、取り外される虞はない。つまり、長時間の歩行であっても、側面支持突起部、常に一定の被支持体部を支持することになり、履物を履いた際には、足に継続かつ安定したフィット感を生じさせることに成功した。
【００２５】
請求項３の構成により、当該側面支持突起部２を裏革８の裏面において裏当て部材４で固定したことから、請求項２の構成とともに、例えば、足を当該部分に引っ掛けてしまったとしても、取り外される虞はない。
【００２６】
また、足に直接面する部分である側面支持突起部２が表面素材部６及び吸収材部５で形成されるため、側面支持突起部２に弾力感が創造され、足を履物に優しくフィットさせ長時間の歩行時であっても靴擦れ等の足の症を防止することに成功した。
【００２７】
また、当該構成によれば長時間の歩行であっても、足のかかとが履物にフィットするため、予見される様々な足のかかと部分のトラブルを防止することに成功した。
【００２８】
請求項４の構成により、側面支持突起部２は、履物用の裏革８の表面に接着又は着脱自在にしたことにより、側面支持突起部の形成方法に選択の幅を広げることに成功した。
また、表面に接着を可能とすることにより、製造工程やコスト等を低減することを可能とした。
【００２９】
そして、着脱自在であるため、個人の足の特性にあわせて側面支持突起部を使用することができ、個性にあわせて履物と足との空間を埋めることを可能とすることに成功した。
【００３０】
請求項５の構成により、丁度、踵骨の側面中央部で、かつ、アキレス腱よりの部分を履物にフィットさせ、持続的に歩きやすい履物の中底を形成することに成功した。
【図面の簡単な説明】
【００３１】
【図１】本考案の一実施例の使用状態を示す斜視図である。
【図２】本考案の一実施例の使用状態を示す一部切欠き後面図である。
【図３】本考案の一実施例の使用状態を示す一部切欠き側面図である。
【図４】本考案における被支持部を示すかかとの側面図である。
【図５】本考案の一実施例の装着状態を示す断面図である。
【考案を実施するための形態】
【００３２】
本考案である履物用のフィッティングパッドは、履物のかかと部分８の内側側面部に、人の足関節部分を左右から支持する位置に設けられ、かかと足関節部３を押圧する側面支持突起部２が形成されることで当初の目的を達成する。
【実施例】
【００３３】
次に、図面に基づいて本考案の実施例を詳細に説明する。本考案履物用のフィッティングパッドは、被支持面部Ｐと履物との間に生ずる空間を埋めるべく履物全般に使用するものであるが、例えば、女性用のハイヒールシューズ３に使用され、このハイヒールシューズ３のかかと部分の内側側面部の左右一対に側面支持突起部２が形成される（図１乃至図３参照）。
【００３４】
そして、この履物用のフィッティングパッドは、履物用であるが、例えば、女性用のハイヒールシューズ３に使用されるもので、被支持面部Ｐを支持する位置に設け、足が履物にフィットするように形成されている（図１乃至図３参照）。
【００３５】
これにより、歩行の際に最も人が使用するといわれる被支持部Ｐを、履物にフィットさせ、歩き安さを増幅させ持続的な歩行であっても足の疲れを防止する。
【００３６】
当該側面支持突起部２は、人が履物を履いた時に、丁度、踵骨の側面中央部で、かつ、アキレス腱よりの被支持部Ｐを支持する位置に形成される（図４参照）。この被支持部Ｐは、従来履物を履いた際には、空間が生じやすい。この空間が、足の履物に対するフィット感を妨げるだけでなく、人間の歩行時に、足と履物との摩擦を生じさせる最大の要因といわれていた。
【００３７】
そして、側面支持突起部２は、孔開き部８Ａを有する履物用の裏革８の裏面から、当該孔開き部８Ａを通して、被支持部Ｐ方向に突出するように形成される。また、側面支持突起部２に吸収剤部６を内包して形成し、各々を裏面から裏当て部材４により充て縫いして固定して取り外されぬよう形成される。この形成により、長期間の歩行であっても、側面支持突起部が、常に一定の被支持体部を支持することになり、履物を履いた際には、足に継続かつ安定したフィット感を創造する（図１乃至図３及び図５参照）。
【００３８】
加えて、側面支持突起部２は、履物用の裏革８の表面に接着してもよい。尚、この接着方法は、表面から当て縫いしたもの等でもよく、いずれのものであるかは限定されず、自由に変更できるものである。
【００３９】
また、側面支持突起部２は、吸収材部５、表面素材部６の二層により形成される。吸収材部５及び表面素材部６は裏革８の孔開き部８Ａから被支持部Ｐ方向に突出する。二層にすることで、側面支持突起部２に厚みを持たせ弾力感を創造する（図５参照）。
【００４０】
加えて、側面支持突起部２は、履物を履いたときに足に直接接する部分である。この素材は、肌に優しい素材を選択することにより形成する。尚、表面素材部６は、どのような素材であってもよく、いずれのものであるかの限定はせず、自由に変更できるものである。そして、図面に図示されたものに限定されない（図５参照）。
【００４１】
次に吸収材部５は、表面素材部６の内包し、衝撃吸収体等により形成され足圧の衝撃を減少させる。尚、吸収材部５は、衝撃吸収体であってもよいし、別のものであってもよく、いずれのものであるかの限定はせず、自由に変更できるものである。そして、図面に図示されたものに限定されない（図５参照）。
【００４２】
以上、表面素材部６及び吸収部６を裏当て部材４固定する。この裏当て部材４は、抗菌・防臭性、吸汗・速乾性等に適した素材より形成されるのが望ましい。尚、この裏当て部材４は、布材であってもよいし、別のものであってもよく、いずれのものであるかの限定はせず、自由に変更できるものである。そして、図面に図示されたものに限定されない（図５参照）。
【００４３】
尚、本考案は、図示例に限定されるものではなく、本考案の各構成は本考案の要旨を変更しない範囲において自由に変更できるものである。例えば、被支持部Ｐを左右一対方向から支持する位置であるのが最善のものである。しかし、側面支持突起部２の形成部分は、被支持部Ｐを一方向から支持する位置であってもよく、自由に変更できるものである。
【００４４】
また、側面支持突起部２は、着脱自在に形成することも可能である。これにより、例えば、個人の足の特性にあわせて側面支持突起部２の厚さを変更することができ、個性にあわせて履物と足との空間を埋めることが可能となる。
【００４５】
そして、これらの着脱方法は、面ファスナー等でもよく、特定のものに限定するものではなく、いずれの方法によるものであってもよく、自由に変更できるものである。
【産業上の利用可能性】
【００４６】
履物用のフィッティングパッドは、前述のような女性用のハイヒールシューズで利用可能である。それ以外に、全ての履物においても利用可能である。
【符号の説明】
【００４７】
Ｐ  被支持面部
２  側面支持突起部
３  ハイヒールシューズ
４  裏当て部材
５  吸収材部
６  表面素材部
７  履物のかかと部
８  裏革
８Ａ  孔開き部
【図１】
0003157212.tif 000003
【図２】
0003157212.tif 000004
【図３】
0003157212.tif 000005
【図４】
0003157212.tif 000006
【図５】
0003157212.tif 000007